(57)【要約】【課題】ゴミや埃などの異物がケース内に侵入した場合でも、確実な操作が可能なレバースイッチを提供することを目的とするものである。【解決手段】駆動体１７の摺動方向と直交方向において、駆動体１７の駆動係合部１７Ａの後面側方に窪部１７Ｃや前面側方に窪部１７Ｅを設けることによって、開口部１１Ａからケース１１内に侵入したゴミや埃などの異物が、窪部１７Ｃ、１７Ｅに移動して、駆動係合部１７Ａ上に蓄積し難いため、レバー６の係合部６Ｃと駆動係合部１７Ａとの間の異物の噛み込みによるレバー６の中立位置への復帰動作への支障が生じ難く、確実な操作が可能なレバースイッチを実現することができる。【選択図】図１
2013020898.tif 000002
【特許請求の範囲】
【請求項１】
上面に開口部を設けたケースと、前記ケースの前記開口部近傍に回動可能に保持され、上部の操作部が前記開口部から外方へ突出すると共に下部に係合部が設けられたレバーと、前記ケース内に摺動可能に収納され、前記レバーの前記係合部に係合する駆動係合部を設けた駆動体と、前記レバーの回動に伴う前記駆動体の摺動によって電気的接離が行われるスイッチ接点からなり、前記駆動体の摺動方向と直交する方向の前記駆動係合部の側方に窪部を設けたレバースイッチ。
【発明の詳細な説明】
【技術分野】
【０００１】
本発明は、各種電子機器において、記録媒体の有無やメカニズムの動作検出等に用いられるレバースイッチに関するものである。
【背景技術】
【０００２】
従来のレバースイッチについて図５〜図７を用いて説明する。
【０００３】
図５は従来のレバースイッチの断面図、図６は同分解斜視図である。
【０００４】
同図において、１は前面開放で上面に開口部１Ａが形成されたケースで、これの下内側壁中央には共通接点２が植設されると共に、共通接点２の上方の両内側壁に一対の固定接点３、４が対向して植設されている。
【０００５】
そして、５は略Ｍ字状の可動接点で、中間に上方へ略Ｌ字状に延出した支持部５Ｄがケース１の底面の保持部１Ｂに弾接すると共に、中間下面の突部５Ａが共通接点２に弾接し、両側の折曲したアーム部５Ｂ端の接点部５Ｃが固定接点３、４の上方のケース１両内側壁に各々弾接して配置され、可動接点５がケース１内に保持されている。
【０００６】
また、６は絶縁樹脂製のレバーで、下部の軸孔６Ｂにケース１の軸部１Ｃが挿通してレバー６が回動可能に装着され、上部の操作部６Ａが開口部１Ａから上方へ突出すると共に、下端には略歯車状の係合部６Ｃが設けられている。
【０００７】
さらに、７は絶縁樹脂製の駆動体で、左右方向の下部両端の押圧部７Ｂが可動接点５のアーム部５Ｂの内側に当接し、上端の直線歯車状の駆動係合部７Ａがレバー６下端の係合部６Ｃに噛合って係合している。
【０００８】
また、図７の要部斜視図に示すように、駆動体７の駆動係合部７Ａの後面には壁部７Ｃが形成され、壁部７Ｃがケース１上面の内側壁に当接しながら、駆動体７がレバー６の回動に伴って左右方向へ摺動可能にケース１内に収納されている。
【０００９】
そして、これら可動接点５やレバー６、駆動体７等が収納されたケース１の前面をカバー８が覆ってレバースイッチが構成されている。
【００１０】
このような構成のレバースイッチは、ビデオカメラやデジタルカメラ等の電子機器の記録媒体の有無やメカニズムの動作検出用として、プリント配線基板（図示せず）の上面に共通接点２及び固定接点３、４のケース１外方へ延出した端子部がはんだ付けされて実装される。
【００１１】
以上の構成において、図５に示すように、レバー６が中立位置にある状態から、例えば、電子機器の回転操作部によって、操作部６Ａが右方向に回動操作されると、レバー６は軸部１Ｃを支点として回動するため、レバー６下端の係合部６Ｃが駆動体７上端の駆動係合部７Ａに噛合いながら駆動体７は左方向へ摺動する。
【００１２】
そして、駆動体７の左方向への摺動に伴って、可動接点５の左側のアーム部５Ｂ内側が駆動体７左側の押圧部７Ｂに押圧されて、アーム部５Ｂが撓み、左側の接点部５Ｃが固定接点４に弾接することによって、可動接点５を介して固定接点４と共通接点２との電気的接続が行われ、例えば、オーディオの音量が大きくなる。
【００１３】
また、操作部６Ａへの回動操作が無くなりフリー状態になると、レバー６は撓んだ可動接点５のアーム部５Ｂによる右方向への付勢力によって駆動体７を介して中立位置に復帰する。
【００１４】
同様に、操作部６Ａを左方向へ回動操作すると、係合部６Ｃや駆動係合部７Ａを介して駆動体７が右方向へ摺動するため、可動接点５を介して固定接点３と共通接点２との電気的接続が行われ、例えば、オーディオの音量が小さくなり、操作部６Ａがフリー状態になると、可動接点５により付勢された駆動体７を介してレバー６が中立位置に復帰するように構成されているものであった。
【００１５】
なお、この出願の発明に関連する先行技術文献としては、例えば、特許文献１が知られている。
【先行技術文献】
【特許文献】
【００１６】
【特許文献１】特開２００３−１３２７６５号公報
【発明の概要】
【発明が解決しようとする課題】
【００１７】
しかしながら、従来のレバースイッチにおいては、例えば、ゴミや埃などの異物が比較的多い周囲環境で使用され、ケース１の開口部１Ａとレバー６外周との隙間から、ケース１内にゴミや埃などの異物が侵入した場合、駆動体７の駆動係合部７Ａの前面がカバー８に覆われると共に、後面は壁部７Ｃに囲まれているため、異物が略歯車状の係合部６Ｃと駆動体７の直線歯車状の駆動係合部７Ａの間に留まって蓄積し易く、左右方向へ回動操作されたレバー６がフリー状態になった時に、係合部６Ｃと駆動係合部７Ａとの間の異物の噛み込みによって、レバー６が引掛ったり、停止したりするなど、中立位置への付勢復帰に支障が生じる可能性があった。
【００１８】
本発明は上記従来の課題を解決するものであり、ゴミや埃などの異物がケース内に侵入した場合でも、異物が略歯車状の係合部と駆動体の直線歯車状の駆動係合部の間に蓄積し難く、確実な操作が可能なレバースイッチを提供することを目的とするものである。
【課題を解決するための手段】
【００１９】
上記目的を達成するために本発明は、駆動体の摺動方向と直交する方向の駆動係合部の側方に窪部を設けたレバースイッチの構成としたものである。
【発明の効果】
【００２０】
本発明によれば、駆動体の摺動方向と直交する方向の駆動係合部の側方に窪部を設けることにより、ゴミや埃などの異物が開口部からケース内に侵入したとしても、異物は駆動係合部の側方の切欠きや窪みなどの窪部に移動して、駆動係合部上に蓄積し難く、レバーの係合部と駆動体の駆動係合部との間の異物の噛み込みによる、レバーの中立位置への復帰動作に支障が生じ難く、確実な操作が可能なレバースイッチを得ることができるという作用を有する。
【図面の簡単な説明】
【００２１】
【図１】本発明の一実施の形態によるレバースイッチの断面図
【図２】同分解斜視図
【図３】同要部斜視図
【図４】同動作を示す断面図
【図５】従来のレバースイッチの断面図
【図６】同分解斜視図
【図７】同要部斜視図
【発明を実施するための形態】
【００２２】
以下、本発明の実施の形態について、図１〜図４を用いて説明する。
【００２３】
（実施の形態）
図１は本発明の一実施の形態によるレバースイッチの断面図、図２は同分解斜視図である。
【００２４】
同図において、１１は液晶ポリマー樹脂（以降、ＬＣＰ樹脂と記載する）、ポリフェニレンサルファイド樹脂（以降、ＰＰＳ樹脂と記載する）又はポリアミド樹脂（以降、ＰＡ樹脂と記載する）等の絶縁樹脂製の、前面開放で上面に開口部１１Ａが形成されたケースである。
【００２５】
そして、ケース１１の下方の内側壁中央には導電金属板製の共通接点２が植設されると共に、共通接点２のやや上方の両内側壁には、一対の固定接点３、４が対向して植設され、共通接点２がケース１１中間の左右の両外側に延出して共通端子２Ａが、固定接点３、４が下方の外側に延出して固定端子３Ａ、４Ａが各々形成されている。
【００２６】
また、５は弾性金属薄板製の略Ｍ字状の可動接点で、中間に上方へ略Ｌ字状に延出した支持部５Ｄがケース１１の底面の略コ字状に突出した保持部１１Ｂの下面に弾接すると共に、中間下面の突部５Ａが共通接点２に弾接している。
【００２７】
さらに、可動接点５の両側の屈曲したアーム部５Ｂ端の接点部５Ｃが、固定接点３、４の上方のケース１１の両内側壁にやや撓んだ状態で各々弾接して、可動接点５がケース１１内に保持されている。
【００２８】
また、ケース１１上面の内側壁と保持部１１Ｂとの間のケース１１底面には、左右方向へ直線状に延出したガイドリブ１１Ｃが形成されている。
【００２９】
そして、６はＬＣＰ樹脂、ＰＰＳ樹脂又はＰＡ樹脂などの絶縁樹脂製のレバーで、軸孔６Ｂがケース１１の開口部１１Ａの上方近傍に突出した軸部１１Ｄに回動可能に装着されている。
【００３０】
また、レバー６上部の操作部６Ａが開口部１１Ａから上方へ突出すると共に、下端には軸孔６Ｂを中心とした略歯車状の係合部６Ｃが設けられている。
【００３１】
さらに、１７はＬＣＰ樹脂、ＰＰＳ樹脂又はＰＡ樹脂などの絶縁樹脂製の駆動体で、左右方向の両端に突出した押圧部１７Ｂが可動接点５のアーム部５Ｂの内側に当接し、上端に形成された直線歯車状の駆動係合部１７Ａがレバー６下端の係合部６Ｃに噛合って係合して、所謂、ラック・アンド・ピニオン機構が形成されている。
【００３２】
また、図３の要部斜視図に示すように、駆動係合部１７Ａの後面の駆動体１７の摺動方向と直交する方向において、駆動係合部１７Ａに隣接した側方に、壁部１７Ｄを所定範囲の長さ切り欠いた窪部１７Ｃが設けられると共に、この壁部１７Ｄがケース１１上方の内側壁とガイドリブ１１Ｃ上面によってガイドされ、レバー６の回動に伴って駆動体１７が左右方向へ摺動可能にケース１１内に収納されている。
【００３３】
なお、駆動体１７とレバー６をケース１１内に収納する際には、まず、ケース１１内に駆動体１７が収納された状態で、前面側からレバー６の軸孔６Ｂと軸部１１Ｄを位置合せしながら、駆動係合部１７Ａにレバー６の係合部６Ｃを噛合わせて装着する。
【００３４】
そして、１７Ｅは駆動係合部１７Ａの前面側方の下方に所定範囲の長さ窪んだ窪部で、駆動体１７の駆動係合部１７Ａにゴミや埃などの異物が載ったとしても、窪部１７Ｃや窪部１７Ｅに異物が移動して、駆動係合部１７Ａに異物が留まり蓄積し難くなっている。
【００３５】
また、窪部１７Ｃ、１７Ｅの長さは駆動係合部１７Ａの摺動方向の長さより長い範囲に形成され、駆動係合部１７Ａ上の異物が確実に窪部１７Ｃや窪部１７Ｅに移動し易くしている。
【００３６】
そして、これら可動接点５やレバー６、駆動体１７等が収納されたケース１１の前面をカバー８が覆ってレバースイッチが構成されている。
【００３７】
このような構成のレバースイッチは、ビデオカメラやデジタルカメラ等の電子機器の記録媒体の有無やメカニズムの動作検出用として、電子機器のプリント配線基板（図示せず）の上面にケース１１外側に延出した共通端子２Ａや固定端子３Ａ、４Ａがはんだ付けされて実装される。
【００３８】
以上の構成において、図１に示すように、レバー６が中立位置にある状態から、例えば、電子機器の回転操作部によって、操作部６Ａが右方向に回動操作されると、図４の断面図に示すように、レバー６は軸部１１Ｄを支点として回動するため、レバー６下端の係合部６Ｃが駆動体１７上端の駆動係合部１７Ａに噛合いながら駆動体１７は左方向へ摺動する。
【００３９】
そして、駆動体１７の左方向への摺動に伴って、可動接点５の左側のアーム部５Ｂ内側が駆動体１７左側の押圧部１７Ｂに押圧されて、アーム部５Ｂが撓み、左側の接点部５Ｃが固定接点４に弾接することによって、可動接点５を介して固定接点４と共通接点２との電気的接続が行われ、例えば、オーディオの音量が大きくなる。
【００４０】
また、操作部６Ａへの回動操作が無くなりフリー状態になると、レバー６は撓んだ可動接点５のアーム部５Ｂによる右方向への付勢力によって駆動体１７を介して中立位置へ復帰する。
【００４１】
同様に、操作部６Ａを左方向へ回動操作すると、係合部６Ｃや駆動係合部１７Ａを介して駆動体１７が右方向へ摺動するため、駆動体１７右側の押圧部１７Ｂに押圧された可動接点５を介して、固定接点３と共通接点２との電気的接続が行われ、例えば、オーディオの音量が小さくなり、操作部６Ａがフリー状態になると、駆動体７を介して中立位置へ復帰する。
【００４２】
そして、このようなレバースイッチにおいて、ゴミや埃などの異物が比較的多い周囲環境で使用されると、ケース１１の開口部１１Ａとレバー６外周との隙間から、ゴミや埃などの異物がケース１１内に侵入する場合がある。
【００４３】
この時、ケース１１内の駆動体１７の駆動係合部１７Ａやレバー６の係合部６Ｃ表面上に侵入した異物は、隣接した後面側方の窪部１７Ｃや前面側方の窪部１７Ｅに移動して、駆動係合部１７Ａや係合部６Ｃには蓄積し難くなっている。
【００４４】
したがって、レバー６の回動操作後の中立位置への付勢復帰の時に、駆動係合部１７Ａとレバー６の係合部６Ｃとの間の異物の噛み込みによる、レバー６の引掛りや停止などの支障が生じ難く、確実に中立位置に復帰するようになっている。
【００４５】
また、ケース１１の底面にガイドリブ１１Ｃを形成していることにより、駆動体１７の左右方向への摺動時のガタを少なくできると共に、窪部１７Ｃから異物がケース１１内の下側へ移動しても、ガイドリブ１１Ｃ上面に留まり、さらに下方の固定接点３、４側には移動し難くなるため、可動接点５と固定接点３、４との電気的接続を安定したものにすることができる。
【００４６】
このように本実施の形態によれば、駆動体１７の摺動方向と直交方向において、駆動体１７の駆動係合部１７Ａの後面側方に窪部１７Ｃや前面側方に窪部１７Ｅを設けることによって、開口部１１Ａからケース１１内に侵入したゴミや埃などの異物が、駆動係合部１７Ａの側方の窪部１７Ｃや窪部１７Ｅに移動して、駆動係合部１７Ａ上に蓄積し難いため、レバー６の係合部６Ｃと駆動係合部１７Ａとの間の異物の噛み込みによるレバー６の復帰動作に引掛りや停止などの支障が生じ難く、確実な操作が可能なレバースイッチを実現することができる。
【００４７】
なお、以上の説明では、駆動係合部１７Ａの一側方に窪部１７Ｃを他側方に窪部１７Ｅを設けた構成として説明したが、レバースイッチが装着される電子機器内における、レバースイッチが配置される向きによっては、ケース１１内に侵入した異物が移動し易い落下方向に、駆動体１７の後面の窪部１７Ｃ又は前面の窪部１７Ｅのいずれか一方を設けた構成としても本発明の実施は可能である。
【００４８】
また、以上の説明では、レバー６下端に略歯車状の係合部６Ｃを、駆動体１７の上端に直線歯車状の駆動係合部１７Ａを設けてこれらが係合する構成としたが、レバーの下端を略円弧状の係合部とすると共に、駆動体の駆動係合部を前記係合部の円弧形状よりやや大きい略円弧状に凹んだ駆動係合部を設けてこれらを係合させ、レバーの回動操作に伴って駆動体が左右方向へ摺動するようにしたものでも良い。
【産業上の利用可能性】
【００４９】
本発明によるレバースイッチは、ゴミや埃などの異物がケース内に侵入した場合でも、確実な操作が可能なものが得られ、各種電子機器において記録媒体の有無やメカニズムの動作検出用として有用である。
【符号の説明】
【００５０】
２  共通接点
２Ａ  共通端子
３、４  固定接点
３Ａ、４Ａ  固定端子
５  可動接点
５Ｂ  アーム部
５Ｃ  接点部
５Ｄ  支持部
６  レバー
６Ａ  操作部
６Ｂ  軸孔
６Ｃ  係合部
８  カバー
１１  ケース
１１Ａ  開口部
１１Ｂ  保持部
１１Ｃ  ガイドリブ
１１Ｄ  軸部
１７  駆動体
１７Ａ  駆動係合部
１７Ｂ  押圧部
１７Ｃ、１７Ｅ  窪部
１７Ｄ  壁部
【図１】
2013020898.tif 000003
【図２】
2013020898.tif 000004
【図３】
2013020898.tif 000005
【図４】
2013020898.tif 000006
【図５】
2013020898.tif 000007
【図６】
2013020898.tif 000008
【図７】
2013020898.tif 000009